(57)【要約】【課題】毛髪保持具と毛髪挿入具とを備え、毛髪挿入具による毛髪束の毛髪保持具への挿入操作を正しく行え、設計通りの毛髪束の巻き上げ状態が得られる毛髪処理器具を提供すること。【解決手段】本発明の毛髪処理器具１は、２枚の帯状のシート２３Ａ，２３Ｂの両側縁部２４，２４同士が一対のシール部３Ａ，３Ａにより接合され、一端部の開口部２１から他端部の開口部２２に向けて、毛髪束を挿入可能に形成された筒状体２と、該筒状体２の巻き上げ用の巻き上げ用糸7とを有しており、筒状体2には、巻き上げ用糸7を挿通案内する複数個の挿通孔部６Ａ，６Ｂが筒状体２の両側部に一対のシール部３Ａ，３Aから隙間Ｓをあけて設けられている毛髪保持具１Ａと、所定の幅Ｗを有し、毛髪保持具１Ａの内部に毛髪束を挿入する長尺状の毛髪挿入具１Ｂを備えており、隙間Ｓには、毛髪挿入具１Ｂの挿入を阻止する補助シール部３Ｂを設けてある。【選択図】図１
2008061959.tif 000002
【特許請求の範囲】
【請求項１】
２枚の帯状のシートの両側縁部同士が一対のシール部により接合され、一端部の開口部から他端部の開口部に向けて、毛髪束を挿入可能に形成された筒状体と、該筒状体の巻き上げ用の巻き上げ用糸とを有しており、該筒状体には、該巻き上げ用糸を挿通案内する複数個の挿通孔部が、該筒状体の両側部に一対の前記シール部から隙間をあけて設けられている毛髪保持具と、所定の幅を有し、前記毛髪保持具の内部に毛髪束を挿入する長尺状の毛髪挿入具とを備えた毛髪処理器具において、
前記隙間には、前記毛髪挿入具の挿入を阻止する補助シール部を設けてある毛髪処理器具。
【請求項２】
前記補助シール部は、一対の前記シール部から、前記一端部の開口部から前記他端部の開口部に向う方向に且つ前記挿通孔部に向って延びている請求項１記載の毛髪処理器具。
【請求項３】
前記補助シール部は、一対の前記シール部から、前記他端部の開口部から前記一端部の開口部に向う方向に且つ前記挿通孔部に向って延びている請求項１記載の毛髪処理器具。
【請求項４】
前記毛髪挿入具は、毛髪束を係止し得る係止部と、所定の幅を有する長尺状の挿入具本体とを有しており、該係止部は該挿入具本体の一端に設けられている請求項１〜３の何れかに記載の毛髪処理器具。
【発明の詳細な説明】
【技術分野】
【０００１】
本発明は、パーマ等により毛髪にカールを付与する場合に、毛髪束を所定の形状に巻き上げるときの補助具として用いられる毛髪処理器具に関する。
【背景技術】
【０００２】
下記特許文献１には、本出願人による「２枚の帯状のシートの両側縁部同士が一対のシール部により接合され、一端部の開口部から他端部の開口部に向けて毛髪束を挿通可能に形成された筒状体と、該筒状体の巻き上げ用の巻き上げ用糸とを備え、前記巻き上げ用糸は、その一端が前記筒状体の前記他端部近傍に止着され、その他端側を引っ張ることにより該筒状体が巻き上がるようになされており、前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっている毛髪保持具」が記載されている。
【０００３】
特許文献１に記載の毛髪保持具において、筒状体には、巻き上げ用糸を挿通案内する複数個の挿通孔部が、該筒状体の両側部に一対のシール部から所定幅の隙間をあけて設けられている。該隙間をあけて、挿通孔部を筒状体に設けることにより、毛髪束に大きなカールを形成することができる。
【０００４】
【特許文献１】特開２００５−３３４６２８号公報
【発明の開示】
【発明が解決しようとする課題】
【０００５】
特許文献１に記載の毛髪保持具は、その使用に際して、所定の幅を有し、毛髪保持具の内部に毛髪束を挿入する長尺状の毛髪挿入具が用いられる。そして、毛髪束を毛髪保持具に挿入する際には、図１２（ａ）に示すように、毛髪挿入具を、挿通孔部とシール部との間の隙間に挿入してしまう結果、毛髪束も、図１２（ｂ）に示すように、該隙間に挿入されて、図１２（ｃ）に示すように、設計したとおりの毛髪束の巻き上げ状態が得られない場合があった。
【０００６】
従って、本発明の目的は、毛髪保持具と毛髪挿入具とを備えた毛髪処理器具であって、毛髪挿入具による毛髪束の毛髪保持具への挿入操作を正しく行えて、設計通りの毛髪束の巻き上げ状態が得られる毛髪処理器具を提供することにある。
【課題を解決するための手段】
【０００７】
本発明は、２枚の帯状のシートの両側縁部同士が一対のシール部により接合され、一端部の開口部から他端部の開口部に向けて、毛髪束を挿入可能に形成された筒状体と、該筒状体の巻き上げ用の巻き上げ用糸とを有しており、該筒状体には、該巻き上げ用糸を挿通案内する複数個の挿通孔部が、該筒状体の両側部に一対の前記シール部から隙間をあけて設けられている毛髪保持具と、所定の幅を有し、前記毛髪保持具の内部に毛髪束を挿入する長尺状の毛髪挿入具とを備えた毛髪処理器具において、前記隙間には、前記毛髪挿入具の挿入を阻止する補助シール部を設けてある毛髪処理器具を提供することにより、上記目的を達成したものである。
【発明の効果】
【０００８】
本発明の毛髪保持具と毛髪挿入具とを備えた毛髪処理器具によれば、毛髪挿入具による毛髪束の毛髪保持具への挿入操作を正しく行えて、設計通りの毛髪束の巻き上げ状態が得られる。
【発明を実施するための最良の形態】
【０００９】
以下、本発明の毛髪処理器具を、その好ましい一実施形態に基づいて、図面を参照しながら説明する。
【００１０】
本実施形態の毛髪処理器具１は、図１〜１０に示すように、２枚の帯状のシート２３Ａ，２３Ｂの両側縁部２４，２４同士が一対のシール部３Ａ，３Ａにより接合され、一端部の開口部２１から他端部の開口部２２に向けて、毛髪束を挿入可能に形成された筒状体２と、該筒状体２の巻き上げ用の巻き上げ用糸７とを有しており、該筒状体２には、該巻き上げ用糸７を挿通案内する複数個の挿通孔部６Ａ，６Ｂが、該筒状体２の両側部に一対のシール部３Ａ，３Ａから隙間Ｓをあけて設けられている毛髪保持具１Ａと、所定の幅Ｗを有し、毛髪保持具１Ａの内部に毛髪束を挿入する長尺状の毛髪挿入具１Ｂを備えている。
また、本実施形態の毛髪処理器具１において、隙間Ｓには、毛髪挿入具１Ｂの挿入を阻止する補助シール部３Ｂを設けてある。
【００１１】
本実施形態の毛髪処理器具１について、更に説明すると、毛髪挿入具１Ｂは、図２に示すように、毛髪保持具１Ａ内に挿入された状態で使用される。毛髪挿入具１Ｂは、毛髪束を係止し得る係止部９２と、所定の幅を有する長尺状の挿入具本体９１とを有しており、該係止部９２は該挿入具本体９１の一端に設けられている。毛髪処理器具１の使用前に、毛髪挿入具１Ｂは予め毛髪保持具１Ａに取り付けられていても良いし、或いは毛髪保持具１Ａを使用するときに毛髪挿入具１Ｂを毛髪保持具１Ａに取り付けても良い。
【００１２】
毛髪挿入具１Ｂは、図１に示すように、挿入具本体９１が、細長板状に形成されており、その他端部は先細形状を有しており、毛髪保持具１Ａの一端部の開口部２１に挿入し易くなっている。挿入具本体９１は、硬質の合成樹脂シート等から形成されることが好ましい。
また、挿入具本体９１の一端部には係止部９２が設けられている。係止部９２は、縦長の輪状に形成されており、この輪の中に毛髪束が挿通し係止される。本実施形態において、毛髪挿入具１Ｂの幅Ｗは、その自然状態において、該毛髪挿入具１Ｂの最も広い部位の幅である。尚、毛髪挿入具１Ｂの自然状態は、毛髪挿入具１Ｂに重力以下の外力が実質的に働いていない状態である。
【００１３】
次に、本実施形態の毛髪保持具１Ａについて更に詳述する。
毛髪保持具１Ａは、図１に示すように、縦長であり、筒状体２が主体となって形成されている。
筒状体２は、一方の面を形成する一面シート２３Ａ及び他方の面を形成する他面シート２３Ｂからなる。一面シート２３Ａ及び他面シート２３Ｂは、帯状のシートであり、その両側端部２４Ａ，２４Ｂ同士が接合されて、一端部の開口部２１及び他端部の開口部２２を有する筒状体２が形成されている。一端部の開口部２１は、毛髪取り込み口となる開口部である。毛髪保持具１Ａは、その一端部の開口部２１を有する一端部２５側を上方にし、他端部の開口部２２を有する他端部２６側を下方に位置させて用いることが好ましい。
筒状体２の大きさは、毛髪の長さ、くせ付けしたい場所、挿入する毛髪束の量等に応じて適宜設定されるが、好ましくは長さが５０〜３５０ｍｍ、幅が２０〜１００ｍｍである。
【００１４】
本実施形態の毛髪保持具１Ａにおける筒状体２について、更に説明すると、筒状体２を形成するシート２３Ａ，２３Ｂとしては、各種可撓性材料が用いられる。このような可撓性材料としては、メッシュシート、不織布、織布、多孔性若しくは非多孔性の樹脂フィルム、紙又はこれらの複合体等が挙げられる。本実施形態におけるシート２３Ａ，２３Ｂは、径が４０〜６０μｍのポリエステルを平織したメッシュシートからなる。
【００１５】
筒状体２を形成するシート２３Ａ，２３Ｂは、具体的用途に則して材料が選択される。例えば、筒状体２内に挿入された毛髪束に対して筒状体２の外部から毛髪処理剤を施したいときには、該毛髪処理剤に対して透過性を有する材料を用いればよい。筒状体２内に挿入された毛髪束のみに毛髪処理剤を施したいときには、該毛髪処理剤に対して非透過性を有する材料を用いればよい。
【００１６】
筒状体２を形成するシート２３Ａ，２３Ｂの厚みは、特に限定されないが、好ましくは５〜５００μｍである。筒状体２を形成するシート２３Ａ，２３Ｂの厚み及びテーバーこわさは、シート全体で均一の方が好ましい。尚、前記「テーバーこわさ」は、ＪＩＳ  Ｐ８１２５に規定される「こわさ試験方法」により測定される腰の強さ（剛性）の指標である。
【００１７】
筒状体２の側端部２４Ａ，２４Ｂには、図１に示すように、直線状に一対のシール部３Ａ，３Ａが形成されており、これにより一面シート２３Ａと他面シート２３Ｂとが一体的に接合されている。
一対のシール部３Ａ，３Ａそれぞれの幅は、シート２３Ａ，２３Ｂの幅に対して、１〜２０％、特に５〜１５％であることが、一面シート２３Ａと他面シート２３Ｂとの接合強度を確保する観点から好ましい。
【００１８】
一面シート２３Ａと他面シート２３Ｂとの接合には、ヒートシール、インパルスシール、超音波シール、接着剤、粘着テープ、縫製等が用いられ、本実施形態においては、ヒートシールが用いられている。
【００１９】
また、筒状体２には、巻き上げ用糸７を挿通案内する挿通孔部６Ａ，６Ｂが、該筒状体２の両側部に一対のシール部３Ａ，３Ａから隙間Ｓをあけて設けられている。このように、挿通孔部６Ａ，６Ｂとシール部３Ａとの間に所定幅の隙間Ｓを設けることは、毛髪束に大きく良好なカールを形成する上で好ましい。この隙間Ｓを、筒状体２の幅方向に測定した長さＬ１（図１参照）は、シート２３Ａ，２３Ｂの幅に対して、１〜３０％、特に５〜２０％の寸法を有していることが、前述した観点から好ましい。
【００２０】
次に、毛髪保持具１Ａの補助シール部３Ｂについて、更に説明する。
補助シール部３Ｂは、各挿通孔部６Ａ，６Ｂに対応して設けられている。補助シール部３Ｂは、一対のシール部３Ａ，３Ａから、一端部の開口部２１から他端部の開口部２２に向う方向に且つ挿通孔部６Ａ，６Ｂに向って延びている部分３１を有している。一端部の開口部２１から他端部の開口部２２に向う方向は、毛髪挿入具１Ｂを毛髪保持具１Ａへ挿入する方向と一致している。
【００２１】
また、補助シール部３Ｂは、一対のシール部３Ａ，３Ａから、他端部の開口部２２から一端部の開口部２１に向う方向に且つ挿通孔部６Ａ，６Ｂに向って延びている部分３２を有している。
このように、筒状体２は、挿通孔部６Ａ，６Ｂとシール部３Ａとの間の隙間Ｓに、補助シール部３Ｂが設けられており、隙間Ｓにおける２枚のシート２３Ａ，２３Ｂ同士が接合されていない部分の幅が、挿入具本体９１の幅Ｗよりも狭くなっており、隙間Ｓへの毛髪挿入具１Ｂの挿入が阻止される。
【００２２】
本実施形態において、前記部分３１、３２それぞれは、図１に示すように、所定の幅を有し、帯状に形成されていて、一対のシール部３Ａ，３Ａそれぞれから挿通孔部６Ａ，６Ｂに向って、略直線状に延びている。該部分３１と該部分３２とは、延びている向きが異なるものの、それ以外は同様に形成されている。
【００２３】
前記部分３１と前記部分３２それぞれの端部同士は、挿通孔部６Ａ，６Ｂの近傍で接合している。また、補助シール部３Ｂとシール部３Ａとに囲まれている筒状体２の部分において、一面シート２３Ａと他面シート２３Ｂとは接合されていないことが好ましい。このような構成にすることにより、筒状体２の柔軟性が確保されて、その巻き上げ状態が良好に形成される。
【００２４】
補助シール部３Ｂと、該補助シール部３Ｂに対応する（最近接している）挿通孔部６Ａ，６Ｂとの間の長さは、毛髪挿入具の幅Ｗに対して、６０％以下、特に３０％以下であることが、毛髪挿入具１Ｂが挿通孔部６Ａ，６Ｂとシール部３Ａとの間に誤って挿入することを防止する上で好ましい。
ここで、補助シール部３Ｂと該補助シール部３Ｂに最近接する挿通孔部６Ａ，６Ｂとの間の長さとは、該補助シール部３Ｂと挿通孔部６Ａ，６Ｂとの間の最短距離をいう。
【００２５】
特に、補助シール部３Ｂは、挿通孔部６Ａ，６Ｂが該補助シール部３Ｂの内部に含まれるか又は該補助シール部３Ｂと部分的に交わるように形成されることが好ましい。このような構成にすることで、挿通孔部６Ａ，６Ｂと、シール部３Ａとの間が隙間なく補助シール部３Ｂにより接合されるので、毛髪挿入具１Ｂが挿通孔部６Ａ，６Ｂとシール部３Ａとの間に誤って挿入されることが確実に防止される。
【００２６】
前記部分３１、３２それぞれの幅は、１〜２０ｍｍ、特に３〜１０ｍｍであることが、挿通孔部６Ａ，６Ｂとシール部３Ａとの間を確実に接合しつつ、筒状体２の柔軟性を確保する上で好ましい。
また、該部分３１が、筒状体２の側縁部２４Ａ，２４Ｂとなす内角の大きさは、１０〜６０度、特に２０〜４５度であることが、毛髪挿入具１Ｂが補助シール部３Ｂに引っかかることなく、スムーズに毛髪保持具１Ａに挿入される上で好ましい。
更に、前記部分３２が、筒状体２の側縁部２４Ａ，２４Ｂとなす内角の大きさは、１０〜６０度、特に２０〜４５度であることが、詳しくは後述するが、毛髪保持具１Ａ内に挿入された毛髪束が部分的に乱れることなく保持される上で好ましい。
【００２７】
次に、毛髪保持具１Ａに設けられている挿通孔部６Ａ，６Ｂ及び巻き上げ用糸７について、以下に更に説明する。
筒状体２を形成する一面シート２３Ａ及び他面シート２３Ｂには、図１に示すように、それぞれ、筒状体２の巻き上げ用の巻き上げ用糸７を挿通案内する複数個の挿通孔部６Ａ，６Ｂが設けられている。巻き上げ用糸７は、その一端７１が筒状体２の他端部の開口部２２近傍に係止されており、挿通孔部６Ａ，６Ｂに順次挿通案内されて筒状体２の外周面にスパイラル状に巻き付けられている。
【００２８】
巻き上げ用糸７は、筒状体２内に挿入されている毛髪束を、筒状体２ごと巻き上げる手段として用いられる。本発明において巻き上げとは、毛髪束に所定のくせ付けをすること全般を意味し、本来の巻き上げ（スパイラル状の巻き上げ）に加えて例えば湾曲や屈曲も包含される。
【００２９】
巻き上げ用糸７は、これを引っ張って毛髪の巻き上げ操作を行うときに、引きちぎれない程度の強度及び巻き上げ操作を円滑に行い得る柔軟性を有していることが好ましい。この点から、巻き上げ用糸７は各種樹脂等の合成物、木綿や麻等の天然物、レーヨン等の半天然物、各種金属、又はこれらの複合体等から構成されていることが好ましい。また、巻き上げ用糸７は、糸状のものに限られず、例えば細長い帯状のものでもよい。
【００３０】
巻き上げ用糸７は、一面シート２３Ａ及び他面シート２３Ｂにおける両側部に互い違いに形成された挿通孔部６Ａ，６Ｂに、ジグザグの軌跡を描くように挿通されて、筒状体２に取り付けられている。詳細には、筒状体２は、その両側部に第１の挿通孔部６Ａからなる第１の挿通孔部列と、第２の挿通孔部６Ｂからなる第２の挿通孔部列とを有している。第１の挿通孔部列における隣接する挿通孔部６Ａ，６Ａの間隔は一定になっている。第２の挿通孔部列においても同様であり、その間隔は第１の挿通孔部列と同じになっている。そして、各挿通孔部列における挿通孔部６Ａ，６Ｂは、互いに半ピッチずれるように互い違いに配置されている。
【００３１】
巻き上げ用糸７は、他端部の開口部２２に最も近接した第１の挿通孔部６Ａに、一面シート２３Ａから他面シート２３Ｂに向けて挿通され、その位置から斜め左上方に位置する第２の挿通孔部６Ｂに向けて、他面シート２３Ｂの外面に沿って配されている。そして、第２の挿通孔部６Ｂにおいて、他面シート２３Ｂから一面シート２３Ａに向けて挿通されている。第２の挿通孔部６Ｂに挿通された巻き上げ用糸７は、その位置から斜め右上方に位置する第１の挿通孔部６Ａに向けて、一面シート２３Ａの外面に沿って配されている。以後、この挿通が繰り返され、巻き上げ用糸７はジグザグの軌跡を描くことになる。
【００３２】
巻き上げ用糸７の一端７１には、矩形のシートからなる係止片７３が形成されており、該係止片７３が、他端部の開口部２２に最も近接した挿通孔部６Ａに引っ掛かり、引き抜かれないように係止される。一端の開口部２１に最も近接した挿通孔部６Ｂにおいては、巻き上げ用糸７は自由状態になっている。一端の開口部２１に最も近接した挿通孔部６Ｂに隣接して、挿通孔部６Ｃが設けられており、この挿通孔部６Ｃに、巻き上げ用糸７の他端７２が挿通されている。巻き上げ用糸７の他端７２には、矩形のシートからなる係止片７４が形成されており、挿通孔部６Ｃに引っ掛かり、他端７２が引き抜かれないように係止される。
従って、巻き上げ用糸７の他端７２側を引っ張ると、図４に示すように、筒状体２は、スパイラル状に変形する。
【００３３】
尚、巻き上げ用糸７の他端７２に位置する係止片７４には、筒状体２の一端部２５近傍に脱着自在に接合される接合部を設けておくことが好ましい。例えば、後述する一対の指掛け部４，４及び取り込み口補強シート５１を面ファスナのメス材となる不織布から形成すると共に、係止片７４に前記接合部としての面ファスナのオス材を接合しておくことが好ましい。
【００３４】
巻き上げ用糸７の他端７２側における、一端の開口部２１に最も近接した挿通孔部６Ｂと挿通孔部６Ｃとの間には、図１に示すように、糸留め８が取り付けられている。糸留め８は、巻き上げ用糸７に沿って移動自在になっていると共に、所定位置で固定できるようになっている。そのため、筒状体２を巻き上げた後において、糸留め８を、一端の開口部２１に最も近接した挿通孔部６Ｂ近傍に移動し、その位置で固定することにより、筒状体２の巻き上げ状態を容易に維持できるようになっている。
【００３５】
本実施形態において、一端の開口部２１に最も近接した挿通孔部６Ｂには、対応する補助シール部は設けられていない。この理由として、以下の２点が挙げられる。１つ目の理由は、毛髪挿入具１Ｂが、一端の開口部２１から毛髪保持具１Ａ内に挿入されるので、該毛髪挿入具１Ｂをこの挿通孔部６Ｂとシール部３Ａとの間に誤って挿入する可能性が極めて低いためである。２つ目の理由は、一端の開口部２１に最も近接した挿通孔部６Ｂにも、対応する補助シール部を設けると、一端の開口部２１の開口径が小さくなり、毛髪挿入具１Ｂ及び毛髪束を、毛髪保持具１Ａ内に挿入する操作性が低下するためである。
【００３６】
本実施形態の毛髪処理器具１において、前述した第１の挿通孔部６Ａからなる第１の挿通孔部列と、第２の挿通孔部６Ｂからなる第２の挿通孔部列との間を、筒状体２の幅方向に測定した長さＬ２（図１参照）は、２つの挿通孔部列の間を通って、毛髪挿入具１Ｂが筒状体２に挿通可能な寸法であることが好ましい。特に、長さＬ２は、毛髪挿入具１Ｂの幅Ｗに対して、２００〜１０００％、特に３００〜６００％の寸法を有していることが、所定量の毛髪束を挿入できると共に、毛髪挿入具１Ｂを筒状体２内へスムーズに挿通する上で好ましい。
【００３７】
本実施形態の毛髪保持具１Ａについて、更に説明すると、筒状体２の一端部の開口部２１近傍に、図３に示すように、一面シート２３Ａ及び他面シート２３Ｂそれぞれの内面及び外面に、取り込み口補強シート５１，５１が接合されている。そのため、筒状体２における一端部の開口部２１近傍のテーバーこわさ（剛性）が向上し、一端部の開口部２１への毛髪束の挿入性が向上している。本実施形態における取り込み口補強シート５１，５１は、一面シート２３Ａ及び他面シート２３Ｂと同じ幅の帯状のシートから形成されており、それぞれ一面シート２３Ａ及び他面シート２３Ｂに全面的に接合されている。
【００３８】
取り込み口補強シート５１の形成材料としては、不織布、織布、多孔性若しくは非多孔性の樹脂フィルム、紙又はこれらの複合体等が好ましい。特に、前述した一面シート２３Ａ及び他面シート２３Ｂと熱融着性を有する材料を用いることが、取り込み口補強シート５１と該一面シート２３Ａ及び他面シート２３Ｂとを、熱融着できるので加工上好ましい。
【００３９】
更に、筒状体２の一端部の開口部２１近傍には、図２及び図５に示すように、一面シート２３Ａ及び他面シート２３Ｂの外面それぞれに、指を掛け得る一対の指掛け部４，４が設けられている。
本実施形態における一対の指掛け部４，４は、帯状のシートが輪状にされて形成されている。一面シート２３Ａの外面に設けられた指掛け部４は、一面シート２３Ａの内面及び外面に接合されている取り込み口補強シート５１，５１それぞれの中央部分が、筒状体２の一端部２５の外方に向って延出し、互いに接合されて形成されている。この指掛け部４の一部は、図３に示すように、取り込み口補強シート５１の外面に接合されている。
また、他面シート２３Ｂの外面に設けられた指掛け部４も同様に形成されている。
【００４０】
指掛け部４の内周長は、それに指を掛けた際の安定感等の観点から、好ましくは４〜１０ｃｍである。指掛け部４の幅は、それに指を掛けた際の安定感や触感等の観点から、好ましくは５〜６０ｍｍである。
指掛け部４は、指を掛けた際の安定性や指の挿入性等の観点から、テーバーこわさが０．４〜１．０ｍＮ・ｍの材料から形成されていることが好ましい。
【００４１】
また、本実施形態の毛髪保持具１Ａは、筒状体２の内表面における一端部の開口部２１側に、毛髪に対して高摩擦性を有する高摩擦性部材（図示せず）が配設されていることが、巻き上げ後の毛髪脱落防止の観点から好ましい。詳述すると、高摩擦性部材は、一面シート２３Ａ及び他面シート２３Ｂにおける内表面（筒状体２の挿入空間に面した表面）の幅方向中央部にそれぞれ配設されることが好ましい。
【００４２】
高摩擦性部材は、例えば、一面シート２３Ａ及び他面シート２３Ｂそれぞれの内表面に、それらとは別体のシート片を接合することにより形成することができる。該シート片としては、樹脂フィルム、紙、金属板又はこれらの複合体が挙げられる。また、高摩擦性部材は、一面シート２３Ａ及び他面シート２３Ｂそれぞれの内表面に、ホットメルト接着剤を面状に塗工して形成することができる。
【００４３】
このように構成された本実施形態の毛髪処理器具１の一使用方法について、パーマネント処理を例に、図５〜図７を参照しながら説明する。尚、図５〜図７においては、毛髪保持具１を適宜簡略化して図示している。
まず、図５に示すように、筒状体２の一端の開口部２１近傍に設けられた一対の指掛け部４，４に、それぞれ指Ｆ，Ｆを掛け、指Ｆ，Ｆを離間させる。その結果、一対の指掛け部４，４も離間し、筒状体２の一端の開口部２１がスムーズに開口する。
【００４４】
筒状体２における一端の開口部２１への毛髪束Ｈの挿入には、毛髪挿入具１Ｂを用いる。
まず、図６（ａ）に示すように、毛髪束Ｈを毛髪挿入具１Ｂの係止部９２に挿通して係止させる。
【００４５】
次いで、毛髪挿入具１Ｂをその他端側から、開口させた筒状体２の一端の開口部２１に挿入する。図６（ｂ）に示すように、毛髪挿入具１Ｂを筒状体２内に更に挿通させると、毛髪挿入具１Ｂの係止部９２に係止された毛髪束Ｈが、一対の指掛け部４，４それぞれに掛けられた指Ｆ，Ｆに当接する。毛髪挿入具１Ｂを筒状体２内に更に挿通させると、毛髪束Ｈは、指Ｆ，Ｆに当接してくの字に屈曲する。このように、毛髪束Ｈは筒状体２に挿入される直前で指Ｆ，Ｆに当接して屈曲するため、毛髪挿入具１Ｂは筒状体２内にスムーズに挿入される。
【００４６】
このように毛髪挿入具１Ｂを筒状体２内に挿通させる際に、毛髪挿入具１Ｂが、筒状体２内に斜めに挿入されても、挿入具本体９１の先端部が、補助シール３Ａの部分３１に当接し、該先端部が該部分３１の傾きに沿って、毛髪挿入具１Ｂの挿通方向へ誘導されるので、本実施形態の毛髪挿入具１Ｂを、筒状体２内へ挿通させる操作性は極めて優れている。
【００４７】
そして、図６（ｃ）に示すように、毛髪挿入具１Ｂを筒状体２の他端の開口部２２から引き抜く。その結果、毛髪挿入具１Ｂの係止部９２に係止されていた毛髪束Ｈは、係止部９２から外れ、筒状体２の他端の開口部２２からはみ出るまで挿通される。尚、毛髪束Ｈは、筒状体２の他端の開口部２２からはみ出させなくてもよい。
【００４８】
次に、筒状体２における一端の開口部２１近傍を指（図示せず）で軽く押さえる。この状態下に、図７（ａ）に示すように、筒状体２の外周面に巻き付けられている巻き上げ用糸７の他端７２近傍又は糸留め８を引っ張る。すると図７（ｂ）及び図７（ｃ）に示すように、毛髪束Ｈは、筒状体２と共にスパイラル状に巻き上げられて、小さくまとめられる。
この状態を保持するために、図７（ｃ）に示すように、糸留め８を筒状体２における一端の開口部２１に最も近接した挿通孔部６Ｂ近傍に移動し、巻き上げ用糸７に係止して、筒状体２の巻き上げ状態を維持する。
【００４９】
また、筒状体２内で巻き上げ状態にある毛髪束Ｈは、図８に示すように、補助シール部３Ｂの部分３２に沿うように納まっている。そのため、毛髪束が部分的に乱れることがないので、毛髪束全体がまとまった状態で保持される。
【００５０】
次に、筒状体２が巻き上げられた状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪束Ｈに施される。
所定時間放置後、毛髪保持具１Ａ及び毛髪束Ｈに付着した第１のパーマネント処理剤を水ですすぎ洗いをする。
【００５１】
その後、筒状体２に向けて第２のパーマネント処理剤（酸化剤）を付与し、再び所定時間放置する。これによって、筒状体２内に挿入されている毛髪束Ｈに対して、その巻き上げ形態のパーマネントウエーブが掛けられる。その後、糸留め８を巻き上げ用糸７の他端７２側に移動し、毛髪束Ｈの巻き上げ状態を解除する。引き続き、毛髪束Ｈを筒状体２から取り出し、すすぎ洗いをし、更にシャンプー及びブローをする。
【００５２】
前述した本実施形態の毛髪処理器具１によれば、毛髪保持具１Ａには、シール部３Ａから毛髪挿入具１Ｂの挿入方向に延びる部分３１を有する補助シール部３Ｂが形成されているため、毛髪挿入具１Ｂによる毛髪束の毛髪保持具１Ａへの挿入操作を正しく行えて、設計通りの毛髪束の巻き上げ状態が得られる。更に、補助シール部３Ｂには、シール部３Ａから部分３１とは逆の方向に延びる部分３２が設けられているため、設計通りの毛髪束の巻き上げ状態がより確実に得られる。
【００５３】
次に、前述した本実施形態の変形例を、図９〜図１１を参照しながら説明する。各変形例ついて、特に説明しない点については、本実施形態に関して詳述した説明が適宜適用される。また、図９〜図１１において、図１〜図８と同じ部材に同じ符号を付してある。尚、図９〜図１１において、指掛け部４の記載を省略している。
【００５４】
図９に示す変形例における補助シール部３Ｂは、上述した実施形態における補助シール部３Ｂと同様に、一対のシール部３Ａ，３Ａから、一端部の開口部２１から他端部の開口部２２に向う方向に且つ挿通孔部６Ａ，６Ｂに向って延びている部分３１を有しているが、一対のシール部３Ａ，３Ａそれぞれから、他端部の開口部２２から一端部の開口部２１に向う方向に向かって延びる部分３２（図１参照）は有していない。
【００５５】
図１０に示す変形例において、挿通孔部６Ａ，６Ｂそれぞれと、該挿通孔部６Ａ，６Ｂに近い側のシール部３Ａとの隙間Ｓには、部分楕円形状体の補助シール部３Ｂが形成されており、隙間Ｓは全て補助シール部３Ｂにより接合されている。補助シール部３Ｂは、その一端の開口部２１側の部分が、該開口部へ向ってやや凸に湾曲した形状を有しており、挿入具本体９１の先端部が当接した際には、その挿通方向へ誘導するようになっている。
【００５６】
図１１に示す変形例において、挿通孔部６Ａ，６Ｂそれぞれと、該挿通孔部６Ａ，６Ｂに近い側のシール部３Ａとの隙間Ｓには、円形状の補助シール部３Ｂが形成されている。本変形例において、補助シール部３Ｂは、挿通孔部６Ａ，６Ｂ及びシール部３Ａから離間した位置に形成されており、補助シール部３Ｂと、挿通孔部６Ａ，６Ｂ又はシール部３Ａとの間を、筒状体２の幅方向に測定した長さは、それぞれ毛髪挿入具１Ｂの幅Ｗよりも小さくなっている。
【００５７】
前述したような各構成を有する変形例によれば、前記実施形態と同様に、毛髪挿入具１Ｂによる毛髪束の毛髪保持具１Ａへの挿入操作を正しく行えて、設計通りの毛髪束の巻き上げ状態が得られる。
【００５８】
本発明の毛髪保持具は、前述した実施形態に制限されることなく、本発明の趣旨を逸脱しない限り適宜変更が可能である。
例えば、本発明の毛髪処理器具１は、前述した実施形態において、補助シール部３Ｂが、各挿通孔部６Ａ，６Ｂに対応して、一つ設けられていたが、補助シール部３Ｂは、各挿通孔部６Ａ，６Ｂに対応して、複数個設けていても良い。
また、補助シール３Ｂは、一端部２５から他端部２６へ連続的に亘って、一対のシール部３，３それぞれに連設して形成されていても良い。この場合、補助シール部３Ｂの筒状体２の幅方向内方側の側縁の形状は、直線状でも良いし、波型を有していても良い。
【００５９】
前述した一の実施形態又は変形例における要件は、適宜、実施形態及び変形例間で相互に置換可能である。
【図面の簡単な説明】
【００６０】
【図１】図１（ａ）及び（ｂ）は、本発明の毛髪処理器具の一実施形態を示しており、（ａ）は毛髪保持具の正面図であり、（ｂ）は毛髪挿入具の正面図である。
【図２】図２は、図１の毛髪保持具に毛髪挿入具が挿入されている状態を示す正面図である。
【図３】図３は、図１のＸ−Ｘ線部分断面図である。
【図４】図４は、図１に示す毛髪保持具を巻き上げた状態を示す斜視図である。
【図５】図５は、図１に示す毛髪保持具における一端部の開口部を開口した状態を示す斜視図である。
【図６】図６（ａ）〜（ｃ）は、図１に示す毛髪処理器具の一使用態様を示す図で、（ａ）、（ｂ）及び（ｃ）は、それぞれ毛髪保持具への毛髪挿入具の挿通手順を順次示す正面図である。
【図７】図７（ａ）〜（ｃ）は、図１に示す毛髪処理器具の一使用態様を示す図で、（ａ）、（ｂ）及び（ｃ）は、それぞれ毛髪束の巻き上げ手順を順次示す斜視図である。
【図８】図８は、図７（ｃ）の要部を示す部分拡大図である。
【図９】図９は、図１の変形例を示す毛髪保持具の正面図である。
【図１０】図１０は、図１の他の変形例を示す毛髪保持具の正面図である。
【図１１】図１１は、図１の更に他の変形例を示す毛髪保持具の正面図である。
【図１２】図１２（ａ）〜（ｃ）それぞれは、従来の毛髪保持具に毛髪挿入具が誤って挿入されている状態を示す模式図である。
【符号の説明】
【００６１】
１    毛髪処理器具
１Ａ  毛髪保持具
１Ｂ  毛髪挿入具
２    筒状体
２１  一端部の開口部
２２  他端部の開口部
２３Ａ  一面シート
２３Ｂ  他面シート
２４  側端部
２５  一端部
２６  他端部
３Ａ    シール部
３Ｂ    補助シール部
４    指掛け部
５１    取り込み口補強シート
６Ａ、６Ｂ、６Ｃ    挿通孔部
６´    挿通孔部
７    巻き上げ用糸
７１  一端
７２  他端
７３、７４  係止片
８    糸留め
９１  挿入具本体
９２  係止部
Ｓ、Ｓ´    隙間
Ｗ    挿入具本体の幅（毛髪挿入具の幅）
Ｆ    指
Ｈ    毛髪束
【図１】
2008061959.tif 000003
【図２】
2008061959.tif 000004
【図３】
2008061959.tif 000005
【図４】
2008061959.tif 000006
【図５】
2008061959.tif 000007
【図６】
2008061959.tif 000008
【図７】
2008061959.tif 000009
【図８】
2008061959.tif 000010
【図９】
2008061959.tif 000011
【図１０】
2008061959.tif 000012
【図１１】
2008061959.tif 000013
【図１２】
2008061959.tif 000014